(57)【要約】【課題】釣り用リールにおいて、ワンウェイクラッチを収容するケース部材の径方向のサイズを小型化するとともに、ケース部材によってワンウェイクラッチへの水分の浸入を抑制することにある。【解決手段】スピニングリール１００は、リール本体２と、ロータ４と、ワンウェイクラッチ１０と、ケース部材２０と、を備えている。ロータ４は、回転軸心Ｏを中心にリール本体２に対して回転可能であり、内部空間４ｄを有している。ワンウェイクラッチ１０は、動力を一方向にのみ伝達する。ケース部材２０は、ロータ４の内部空間４ｄに設けられワンウェイクラッチ１０を収容可能である。ケース部材２０は、径方向外側に突出したフランジ部２４、及びフランジ部２４よりも後方かつ軸方向から見たときフランジ部２４の一部と重なる位置に設けられリール本体２に固定される固定部２５、を有している。【選択図】図４
2019149956.tif 000002
【特許請求の範囲】
【請求項１】
前方に釣り糸を繰り出し可能な釣り用リールであって、
リール本体と、
回転軸心を中心に前記リール本体に対して回転可能であり、内部空間を有するロータと、
動力を一方向にのみ伝達するワンウェイクラッチと、
前記ロータの前記内部空間に設けられ前記ワンウェイクラッチを収容可能であり、径方向外側に突出したフランジ部、及び前記フランジ部よりも後方かつ軸方向から見たとき前記フランジ部の一部と重なる位置に設けられ前記リール本体に固定される固定部、を有するケース部材と、
を備えた、釣り用リール。
【請求項２】
前記リール本体に対して回転可能であり、前記ケース部材の前方で前記ケース部材に対向して設けられた障壁部材をさらに備え、
前記障壁部材は、前記ケース部材の前記フランジ部に向かって軸方向に突出する円環状の第１凸部を有する、
請求項１に記載の釣り用リール。
【請求項３】
前記ケース部材は、前記第１凸部よりも径方向内側で前記障壁部材に向かって軸方向に突出する円環状の第２凸部を有する、
請求項２に記載の釣り用リール。
【請求項４】
前記第２凸部は、径方向において、前記第１凸部と重なる位置に形成されている、
請求項３に記載の釣り用リール。
【請求項５】
前記ケース部材及び前記障壁部材の少なくとも一方は、撥水処理が施されている、
請求項２から４のいずれか１項に記載の釣り用リール。
【請求項６】
軸方向から見たとき前記フランジ部の一部と重なる位置に設けられ前記ケース部材の前記固定部を前記リール本体に固定する固定部材をさらに備え、
前記ケース部材の前記固定部は、軸方向に貫通する貫通孔を有し、
前記固定部材は、前記貫通孔を貫通する軸部、及び前記軸部の一端に形成され前記貫通孔の内径よりも大径の頭部、を有する、
請求項１から５のいずれか１項に記載の釣り用リール。
【請求項７】
前記固定部材の全長は、前記ケース部材の前記フランジ部と前記ケース部材の前記固定部との軸方向の間隔よりも小さい、
請求項６に記載の釣り用リール。
【請求項８】
前記固定部材はねじ部材である、
請求項７に記載の釣り用リール。
【発明の詳細な説明】
【技術分野】
【０００１】
本発明は、釣り用リールに関する。
【背景技術】
【０００２】
釣り用リール、特に前方に釣り糸を繰り出し可能なスピニングリールは、スプールに釣り糸を巻き付けるためのロータがリール本体に回転可能に設けられている。ロータの内側には、ケース部材に収容された釣り糸繰り出し方向の回転を禁止するワンウェイクラッチが配置されている。ケース部材とロータとの間には隙間が存在し、この隙間からワンウェイクラッチに水分が浸入するおそれがある。そこで、例えば特許文献１に示されたスピニングリールでは、径方向に突出する板状部材を保護カバーの前部に固定して、ワンウェイクラッチへの水分の浸入を抑制している。
【先行技術文献】
【特許文献】
【０００３】
【特許文献１】特開２０１５−１５９７５６号公報
【発明の概要】
【発明が解決しようとする課題】
【０００４】
ところで、最近ではワンウェイクラッチの小型化に伴い、ワンウェイクラッチを収容するケース部材の小型化が望まれている。
【０００５】
本発明の課題は、釣り用リールにおいて、ワンウェイクラッチを収容するケース部材の径方向のサイズを小型化するとともに、ケース部材によってワンウェイクラッチへの水（海水）や異物の浸入を抑制することにある。
【課題を解決するための手段】
【０００６】
本発明に一側面に係る釣り用リールは、前方に釣り糸を繰り出し可能であり、リール本体と、ロータと、ワンウェイクラッチと、ケース部材と、を備えている。ロータは、回転軸心を中心にリール本体に対して回転可能であり、内部空間を有している。ワンウェイクラッチは、動力を一方向にのみ伝達する。ケース部材は、ロータの内部空間に設けられワンウェイクラッチを収容可能である。ケース部材は、径方向外側に突出したフランジ部、及びフランジ部よりも後方かつ軸方向から見たときフランジ部の一部と重なる位置に設けられリール本体に固定される固定部、を有している。
【０００７】
この釣り用リールでは、カバー部材から径方向外側に突出したフランジ部によってワンウェイクラッチへの水分や異物の浸入を抑制できる。また、ケース部材の固定部が、軸方向から見たときフランジ部の一部と重なる位置に設けられているため、ケース部材の径方向のサイズを小型化できる。
【０００８】
好ましくは、リール本体に対して回転可能であり、ケース部材の前方でケース部材に対向して設けられた障壁部材をさらに備えている。障壁部材は、ケース部材のフランジ部に向かって軸方向に突出する円環状の第１凸部を有している。この場合は、障壁部材及び障壁部材の第１凸部によって、ケース部材と障壁部材の間の隙間からワンウェイクラッチへの水分の浸入をさらに抑制できる。
【０００９】
好ましくは、ケース部材は、第１凸部よりも径方向内側で障壁部材に向かって軸方向に突出する円環状の第２凸部を有している。この場合は、障壁部材、障壁部材の第１凸部、及びケース部材の第２凸部によって、ケース部材と障壁部材の間の隙間からワンウェイクラッチへの水分の浸入をさらに抑制できる。
【００１０】
好ましくは、第２凸部は、径方向において、第１凸部と重なる位置に形成されている。
【００１１】
好ましくは、ケース部材及び障壁部材の少なくとも一方は、撥水処理が施されている。この場合は、ケース部材と障壁部材との間の隙間からワンウェイクラッチへの水分の浸入をさらに抑制できる。
【００１２】
好ましくは、軸方向から見たときフランジ部の一部と重なる位置に設けられケース部材の固定部をリール本体に固定する固定部材をさらに備えている。ケース部材の固定部は、軸方向に貫通する貫通孔を有し、固定部材は、貫通孔を貫通する軸部、及び軸部の一端に形成され貫通孔の内径よりも大径の頭部、を有している。
【００１３】
好ましくは、固定部材の全長は、ケース部材のフランジ部とケース部材の固定部との軸方向の間隔よりも小さい。
【００１４】
好ましくは、固定部材はねじ部材である。
【発明の効果】
【００１５】
本発明によれば、釣り用リールにおいて、ワンウェイクラッチを収容するケース部材の径方向のサイズを小型化できるとともに、ケース部材によってワンウェイクラッチへの水（海水）や異物の浸入を抑制できる。
【図面の簡単な説明】
【００１６】
【図１】本発明の一実施形態が採用されたスピニングリールの側面図。
【図２】スピニングリールの部分断面図。
【図３】図２の一部を拡大した図。
【図４】ケース部材をリール本体に固定するときのケース部材と固定部材との位置関係を示す図。
【図５】ケース部材を軸方向から見た図。
【発明を実施するための形態】
【００１７】
本発明の一実施形態が採用されたスピニングリール１００（釣り用リールの一例）は、釣り糸を前方に繰り出し可能である。スピニングリール１００は、図１及び図２に示すように、リール本体２と、スプール３と、ロータ４と、ワンウェイクラッチ１０と、ケース部材２０と、障壁部材３０と、固定部材４０（図４参照）と、を備えている。
【００１８】
なお、以下の説明において、釣りを行うときに、釣り糸が繰り出される方向を前、その反対方向を後という。また、ロータ４の回転軸心Ｏが延びる方向を軸方向という。また、ロータ４の回転軸心Ｏに直交する方向を径方向という。
【００１９】
図２は、スピニングリール１００の部分断面図である。リール本体２は、リール本体部２ａと、円筒部２ｂと、を有している。リール本体部２ａは内部空間を有しており、内部空間にはロータ４が駆動される図示しないロータ駆動機構などが収容されている。円筒部２ｂは、リール本体部２ａの前部から軸方向に延びている。リール本体２には、図１に示すように、ハンドル５が回転可能に装着されている。
【００２０】
スプール３は、外周に釣り糸が巻き付けられる部材である。スプール３は、ハンドル５
の回転に応じて、周知のオシレーティング機構を介して、軸方向に往復移動するように構成されている。
【００２１】
ロータ４は、回転軸心Ｏを中心にリール本体２に対して回転可能である。ロータ４は、ハンドル５の回転が伝達されるピニオンギア６に一体回転可能に連結されている。ロータ４には、ピニオンギア６を含むロータ駆動機構を介してハンドル５の回転が伝達される。
【００２２】
ロータ４は、ロータ本体部４ａと、第１ロータアーム４ｂと、第２ロータアーム４ｃと、を有している。ロータ本体部４ａは、図２に示すように、円筒状であり、内部空間４ｄを有している。内部空間４ｄには、リール本体２の円筒部２ｂが収容されている。ロータ本体部４ａは、前部にピニオンギア６が貫通するボス部４ｅを有し、後部が軸方向に開放している。第１ロータアーム４ｂ及び第２ロータアーム４ｃは、ロータ本体部４ａの径方向外側でロータ本体部４ａを挟んで互いに対向する位置に設けられている。
【００２３】
ワンウェイクラッチ１０は、動力を一方向にのみ伝達する。ワンウェイクラッチ１０は、ピニオンギア６の外周に装着されており、ピニオンギア６の糸巻き取り方向の回転のみを許容する。ワンウェイクラッチ１０は、ロータ４の内部空間４ｄに配置されている。
【００２４】
ワンウェイクラッチ１０は、ローラ型のワンウェイクラッチであり、外輪１１と、内輪１２と、複数のローラ１３と、複数のばね部材１４と、を有している。
【００２５】
外輪１１は、ケース部材２０に回転不能に装着されている。外輪１１は、内周面に図示しないカム面を有している。内輪１２は、ピニオンギア６に一体回転可能に装着されている。複数のローラ１３は、円柱状であり、外輪１１と内輪１２との間に配置されている。ローラ１３は、動力を伝達する伝達位置と、動力を伝達しない非伝達位置との間で移動可能である。ローラ１３は、ばね部材１４によって、伝達位置側に付勢されている。
【００２６】
ハンドル５を糸巻き取り方向に回転させたときは、ローラ１３が非伝達位置に移動して、内輪１２の回転は外輪１１に伝達されない。このため、ハンドル５の糸巻き取り方向の回転に応じてピニオンギア６と内輪１２とが一体回転する。一方、ハンドル５を糸繰り出し方向に回転させようとすると、ローラ１３が伝達位置に移動して、内輪１２の回転が外輪１１に伝達される。外輪１１は、ケース部材２０に回転不能に装着されているため、結果的にハンドル５の繰り出し方向の回転が規制される。
【００２７】
ケース部材２０は、樹脂モールド成型された合成樹脂製の段付き筒状の部材である。ケース部材２０は、ロータ４の内部空間４ｄに設けられている。ケース部材２０は、内部にワンウェイクラッチ１０を収容可能である。ケース部材２０は、図２から図５に示すように、ケース部２１と、第１円筒部２２（第２凸部の一例）と、第２円筒部２３と、フランジ部２４と、少なくとも１つの固定部２５と、を有している。なお、ケース部材２０には、撥水処理が施されている。
【００２８】
ケース部２１は、内周部でワンウェイクラッチ１０の外輪１１を回転不能に係止するように構成されている。ケース部２１は、図３に示すように、径方向内側に延びる壁部２１ａを有している。壁部２１ａは、ワンウェイクラッチ１０の内輪１２が貫通可能な貫通孔２１ｂを有している。
【００２９】
第１円筒部２２及び第２円筒部２３は、円筒状であり、壁部２１ａから軸方向前方に延びている。言い換えると、第１円筒部２２及び第２円筒部２３は、円環状であり、障壁部材３０に向かって軸方向に突出している。第１円筒部２２は、第２円筒部２３よりも軸方向に長く延びている。第２円筒部２３は、第１円筒部２２よりも径方向内側に設けられている。
【００３０】
フランジ部２４は、円環上であり、第１円筒部２２から径方向外側に突出して形成されている。詳細には、フランジ部２４は、第１円筒部２２の中間部から径方向外側に、全周に亘って突出している。
【００３１】
固定部２５は、図４に示すように、固定部材４０によってリール本体２に固定される部分である。固定部２５は、本実施形態では、周方向に間隔を隔てて複数（例えば３個）形成されている。固定部２５は、図４及び図５に示すように、ケース部材２０のフランジ部２４よりも後方で径方向外側に突出して形成されている。固定部２５は、軸方向から見たとき、フランジ部２４の一部と重なる位置に設けられている。固定部２５は、軸方向に貫通する貫通孔２５ａを有している。本実施形態における固定部２５の範囲は、貫通孔２５ａの外周部、すなわち、固定部材４０の後述する頭部４２と軸方向において対向する範囲を含む。
【００３２】
障壁部材３０は、ワンウェイクラッチ１０への水分の浸入を抑制するための部材である。障壁部材３０は、図２及び図３に示すように、ケース部材２０の前方でケース部材２０に対向して設けられている。障壁部材３０は、回転軸心Ｏを中心とする概ね円環状の部材であり、中心部をピニオンギア６が軸方向に貫通している。障壁部材３０は、リール本体２に対して回転可能である。詳細には、障壁部材３０は、内周部がロータ本体部４ａのボス部４ｅとワンウェイクラッチ１０の内輪１２との軸方向間に配置され、ロータ４及び内輪１２と一体回転可能である。なお、障壁部材３０には、撥水処理が施されている。
【００３３】
障壁部材３０は、図３に示すように、第１凸部３１，３２を有している。第１凸部３１，３２は、回転軸心Ｏを中心として円環状に形成されている。
【００３４】
第１凸部３１は、ケース部材２０のフランジ部２４に向かって軸方向に突出している。第１凸部３１は、径方向において、ケース部材２０の第１円筒部２２と重なる位置に形成されている。
【００３５】
第１凸部３２は、ケース部材２０の第１円筒部２２及び第２円筒部２３の径方向間に形成され、ケース部材２０の壁部２１ａに向かって軸方向に突出している。
【００３６】
上記の構成により、ケース部材２０の第１円筒部２２、第２円筒部２３、及びフランジ部２４と、障壁部材３０の第１凸部３１，３２と、によって、ケース部材２０と障壁部材３０との隙間が、複数の絞り構造を直列に設けたラビリンス状に形成されている。これにより、ワンウェイクラッチ１０への水分の浸入を抑制することができる。
【００３７】
固定部材４０は、図４及び図５に示すように、例えば、ねじ部材であり、固定部材４０によってケース部材２０の固定部２５がリール本体２に固定されている。固定部材４０は、軸方向から見たときケース部材２０のフランジ部２４の一部と重なる位置に設けられている。固定部材４０は、軸部４１と、頭部４２と、を有している。
【００３８】
軸部４１は、軸方向に延び、固定部２５の貫通孔２５ａを軸方向に貫通する。軸部４１は、外周面に雄ねじ部４１ａを有している。雄ねじ部４１ａは、リール本体２の円筒部２ｂの先端部に形成された図示しないねじ孔に螺合する。これにより、ケース部材２０がリール本体２に固定される。
【００３９】
頭部４２は、軸部４１の一端に形成され、固定部２５の貫通孔２５ａの内径よりも大径である。頭部４２は、ドライバーなどのねじ締め工具に係合する係合溝４２ａを有している。頭部４２は、図５に示すように、軸方向から見たときケース部材２０のフランジ部２４の一部と重なる位置に設けられている。また、頭部４２の係合溝４２ａは、軸方向から見たとき、ケース部材２０のフランジ部２４と重ならないように設けられている。これにより、ねじ締め工具を係合溝４２ａに係合させることができる。
【００４０】
固定部材４０の全長は、図４に示すように、ケース部材２０のフランジ部２４とケース部材２０の固定部２５との軸方向の間隔よりも小さい。固定部材４０の全長とは、軸部４１及び頭部４２を含めた軸方向の長さである。このため、ケース部材２０をリール本体２に固定するときは、まず、ケース部材２０のフランジ部２４よりも後方の位置で、固定部材４０をケース部材２０の径方向外側からケース部材２０の固定部２５まで移動させる。そして、固定部材４０の軸部４１を固定部２５の貫通孔２５ａに通して、ねじ締め工具で固定部材４０をリール本体２のねじ孔にねじ込み、ケース部材２０をリール本体２に固定する。
【００４１】
このようにケース部材２０をリール本体２に固定することで、固定部２５の貫通孔２５ａに固定部材４０を通すための切り欠きをケース部材２０のフランジ部２４に設ける必要がない。このため、ケース部材２０の全周に亘ってフランジ部２４を径方向外側に突出させることができ、フランジ部２４によってワンウェイクラッチ１０への水分や異物の浸入をより確実に抑制できる。また、固定部材４０の頭部４２が軸方向から見たときに、ケース部材２０のフランジ部２４と重なる位置に設けられているため、ケース部材２０にフランジ部２４を形成した場合であっても、ケース部材２０の径方向のサイズを小型化できる。
【００４２】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００４３】
（ａ）前記実施形態では、障壁部材３０を設けていたが、必ずしも障壁部材３０を設ける必要はない。この場合であっても、ケース部材２０のフランジ部２４によって、ワンウェイクラッチ１０への水分の浸入を抑制できる。
【００４４】
（ｂ）前記実施形態では、ケース部材２０及び障壁部材３０の両方に撥水処理が施されていたが、ケース部材２０及び障壁部材３０の少なくとも一方に撥水処理が施されていればよい。
【符号の説明】
【００４５】
２  リール本体
４  ロータ
１０  ワンウェイクラッチ
２０  ケース部材
２２  第１円筒部（第２凸部の一例）
２４  フランジ部
２５  固定部
２５ａ  貫通孔
３０  障壁部材
３１  第１凸部
４０  固定部材
４１  軸部
４２  頭部
１００  スピニングリール（釣り用リールの一例）
Ｏ  回転軸心
【図１】
2019149956.tif 000003
【図２】
2019149956.tif 000004
【図３】
2019149956.tif 000005
【図４】
2019149956.tif 000006
【図５】
2019149956.tif 000007